(57)【要約】【課題】内部コネクタと外部コネクタの電気的接続作業を簡単に行えるようにして、組立作業を容易化できる照明装置を提供する。【解決手段】照明装置１０は、長尺状の基板３１と、基板３１の幅方向中心線よりも一方の幅方向縁部に寄せて配置された発光部と、基板３１の幅方向中心線よりも他方の幅方向縁部に寄せて配置された内部コネクタ３４，３５と、基板３１を収容する長尺筒状の筐体１２と、筐体１２の長手方向端部にそれぞれ固定され、外部コネクタ１８，２０が設けられる蓋部材１４ａ，１４ｂと、内部コネクタ３４，３５と外部コネクタ１８，２０とを電気的に接続するリード線３６，３７とを備える。内部コネクタ３４，３５は、基板３１が筐体１２内に収容された状態で筐体１２から露出している。【選択図】図９
2018139185.tif 000002
【特許請求の範囲】
【請求項１】
長尺状の基板と、
前記基板上において、前記基板の幅方向中心線よりも一方の幅方向縁部に寄せて配置された発光部と、
前記基板の長手方向端部において、前記幅方向中心線よりも他方の幅方向縁部に寄せて配置された内部コネクタと、
長手方向両端部に開口を有し、前記基板を収容する長尺筒状の筐体と、
前記筐体の長手方向端部の開口を塞いだ状態で前記筐体にそれぞれ固定され、前記幅方向中心線よりも他方の幅方向縁部に寄せた位置に外部コネクタが設けられる蓋部材と、
前記内部コネクタと前記外部コネクタとを電気的に接続するリード線と、を備え、
前記内部コネクタは、前記基板が前記筐体内に収容された状態で前記筐体から露出している、
照明装置。
【請求項２】
前記筐体は、前記基板上における前記幅方向中心線と一方の幅方向縁部との間の第１幅方向領域に対応する部分に透光部を有するとともに、前記基板上における前記幅方向中心線と他方の幅方向縁部との間の第２幅方向領域に対応する部分に遮光部を有し、前記遮光部の長手方向寸法は前記透光部の長手方向寸法よりも短く形成されており、
前記蓋部材は、前記開口を塞ぐ蓋板と、前記蓋板から長手方向に突出して形成され、前記露出した内部コネクタを覆って設けられる遮光性の突出部とを有する、請求項１に記載の照明装置。
【請求項３】
前記遮光部と前記突出部との突き合わせ面は、前記基板の長手方向と直交する方向に対して傾斜している、請求項２に記載の照明装置。
【請求項４】
前記筐体には前記第１幅方向領域に対応する第１空間と前記第２幅方向領域に対応する第２空間とを仕切る遮光性の仕切板が設けられ、前記仕切板の前記第１空間に対向する壁面は反射面となっている、請求項１〜３のいずれか一項に記載の照明装置。
【請求項５】
前記外部コネクタは２つの端子を含み、前記２つの端子の並び方向が前記基板の垂線に対して傾斜している、請求項１〜４のいずれか一項に記載の照明装置。
【発明の詳細な説明】
【技術分野】
【０００１】
本開示は、照明装置に関する。
【背景技術】
【０００２】
従来、特許文献１には、照明具を複数連結して、所望の長さの照明装置を構成することが記載されている。この照明具は、発光素子を搭載した長尺状の回路基板と、回路基板の両端部に取り付けられた一対のコネクタとを有する。一対のコネクタは、一方がオス型コネクタで、他方がメス型コネクタで構成される。また、回路基板は、長尺状の透明な樹脂チューブ内に挿入配置され、この樹脂チューブの両端部に上記一対のコネクタが配置される。
【先行技術文献】
【特許文献】
【０００３】
【特許文献１】特開２０１４−２０３８２１号公報
【発明の概要】
【発明が解決しようとする課題】
【０００４】
上記特許文献１に記載される基板を筒状筐体に収容して構成される照明具は、基板上の内部コネクタを筐体の長手方向端部に設けた外部コネクタに電気的に接続して組み立てられることがある。この場合、基板上の内部コネクタが筐体の内部に位置すると、外部コネクタの接続作業が煩雑で手間がかかる可能性がある。
【０００５】
本開示の目的は、基板上の内部コネクタと筒状筐体の長手方向端部に設けられる外部コネクタとの接続作業を簡単に行えるようにして、組立作業を容易化できる照明装置を提供することにある。
【課題を解決するための手段】
【０００６】
本開示に係る照明装置は、長尺状の基板と、前記基板上において、前記基板の幅方向中心線よりも一方の幅方向縁部に寄せて配置された発光部と、前記基板の長手方向端部において、前記幅方向中心線よりも他方の幅方向縁部に寄せて配置された内部コネクタと、長手方向両端部に開口を有し、前記基板を収容する長尺筒状の筐体と、前記筐体の長手方向端部の開口を塞いだ状態で前記筐体にそれぞれ固定され、前記幅方向中心線よりも他方の幅方向縁部に寄せた位置に外部コネクタが設けられる蓋部材と、前記内部コネクタと前記外部コネクタとを電気的に接続するリード線と、を備える。前記内部コネクタは、前記基板が前記筐体内に収容された状態で前記筐体から露出している。
【発明の効果】
【０００７】
本開示に係る照明装置によれば、基板上の内部コネクタと筐体の長手方向端部に設けられる外部コネクタとの接続作業を簡単に行うことができ、組立作業を容易化できる。
【図面の簡単な説明】
【０００８】
【図１】本開示の一実施形態である照明装置を一端方向から見た斜視図である。
【図２】図１の照明装置を他端方向から見た斜視図である。
【図３】照明装置の設置状態を示す図である。
【図４】図１中におけるＡ−Ａ線断面図である。
【図５】光源モジュールを示す斜視図である。
【図６】オス型外部コネクタを備えた第１蓋部材の分解斜視図である。
【図７】メス型外部コネクタを備えた第２蓋部材の分解斜視図である。
【図８】筐体内に光源モジュールを収容した状態を示す平面図である。
【図９】光源モジュールを収容した筐体に蓋部材を取り付ける様子を示す図である。
【図１０】変形例の照明装置を示す平面図である。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
図１は、本開示の一実施形態である照明装置１０を一端方向から見た斜視図である。図２は、図１の照明装置１０を他端方向から見た斜視図である。図１及び図２（図４及び図５でも同様）において、照明装置１０の長手方向が矢印Ｘで、短手方向または幅方向が矢印Ｙで、厚さ方向が矢印Ｚでそれぞれ示されている。各方向Ｘ，Ｙ，Ｚは、互いに直交する方向である。
【００１１】
図１及び図２に示すように、本実施形態の照明装置１０は、筐体１２と、第１蓋部材１４ａ及び第２蓋部材１４ｂとを備える。筐体１２は、長手方向Ｘから見たとき扁平な長方形の側面形状を有する長尺筒状に形成されている。筐体１２は、カバー面１２ａと、底面１２ｂと、一対の側面１２ｃ，１２ｄとを有する。カバー面１２ａと底面１２ｂは互いに対向し、一対の側面１２ｃ，１２ｄは互いに対向する。
【００１２】
筒状をなす筐体１２は、長手方向両端部に開口をそれぞれ有する。第１蓋部材１４ａは、長手方向一端部の開口を塞いだ状態で筐体１２に固定される。第２蓋部材１４ｂは、長手方向他端部の開口を塞いだ状態で筐体１２に固定される。これにより、照明装置１０は、筐体１２と第１及び第２蓋部材１４ａ，１４ｂとによって、扁平な直方体状に形成されている。
【００１３】
図１に示すように、第１蓋部材１４ａには、オス型外部コネクタ１８が設けられている。オス型外部コネクタ１８は、第１蓋部材１４ａから突出した２本の金属ピン端子を有する。これに対し、図２に示すように、第２蓋部材１４ｂには、メス型外部コネクタ２０が設けられている。メス型外部コネクタ２０は、第２蓋部材１４ｂに形成された２つの孔内に金属筒状端子が配設されて構成される。これにより、オス型外部コネクタ１８とメス型外部コネクタ２０とを嵌合することによって、複数の照明装置１０を連結して使用することができる。
【００１４】
筐体１２の一対の側面１２ｃ，１２ｄには、溝１９がそれぞれ形成されている。各溝１９は、底面１２ｂ近傍の位置において長手方向Ｘに延伸している。また、これらの溝１９は、第１及び第２蓋部材１４ａ，１４ｂにも形成されている。
【００１５】
図３は、照明装置１０の設置状態を示す図である。図３に示すように、照明装置１０は、取付部材２を介して設置される。取付部材２は、例えば金属板等で形成される長尺状の部材である。取付部材２は、底板部２ａと、底板部２ａの幅方向両側縁部に立設された側壁部２ｂと、各側壁部２ｂの端部において互いに対向する方向に突出した突出部２ｃとを有する。照明装置１０は、一対の側面１２ｃ，１２ｄに形成された溝１９に取付部材２の突出部２ｃが嵌まり込んだ状態で、取付部材２に取り付けられる。
【００１６】
照明装置１０は、例えば壁面３に取付部材２を介して設置される。壁面３は、例えば、合板、石膏ボード、モルタル、コンクリート等によって形成されている。取付部材２は、例えば皿ネジ等のねじ４によって壁面３に固定可能である。なお、照明装置１０の設置場所は、壁面３に限定されるものではなく、他の場所（例えば、天井等）に設置されてもよい。
【００１７】
再び図１及び図２を参照すると、筐体１２は、例えば、ポリカーボネート等の樹脂材料を押出成形することによって一体に形成できる。或いは、筐体１２は、複数の部材で構成されてもよい。具体的には、筐体１２は、カバー面１２ａと一対の側面１２ｃ，１２ｄとが一体に成形されてもよく、これと平板状の底面１２ｂとが例えば接着、ネジ留め、嵌合等によって一体化されてもよい。或いは、筐体１２は、底面１２ｂと一対の側面１２ｃ，１２ｄとが一体に成形され、これと平板状のカバー面１２ａとが例えば接着、ネジ留め、嵌合等によって一体化されてもよい。
【００１８】
また、筐体１２は、透光部と、遮光部とを有する。具体的には、本実施形態の照明装置１０では、筐体１２のカバー面１２ａにおける幅方向約半分の第１部分１２ａ１と、この第１部分１２ａ１に連なる側面１２ｄとが、透光部になっている。
【００１９】
透光部は、内部に収容した基板上の発光部から発せられる光を拡散して外部に出射する拡散板として機能する。カバー面１２ａの第１部分１２ａ１は、筐体１２に収容される基板３１上に発光部が配置されている第１幅方向領域３８ａに対向する（図４及び図５参照）。第１幅方向領域３８ａは、基板３１上における幅方向中心線Ｃと一方の幅方向縁部３１ａとの間の領域である。透光部である第１部分１２ａ１及び側面１２ｄは、筐体１２の全長に亘って延びている。
【００２０】
他方、照明装置１０において、筐体１２のカバー面１２ａのうち残りの幅方向約半分の第２部分１２ａ２と、この第２部分１２ａ２に連なる側面１２ｃとが遮光部となっている。カバー面１２ａの第２部分１２ａ２は、基板３１上に第１及び第２内部コネクタ３４，３５が配置される第２幅方向領域３８ｂに対向する（図４及び図５参照）。第２幅方向領域３８ｂは、基板３１上における幅方向中心線Ｃと他方の幅方向縁部３１ｂとの間の領域である。なお、筐体１２の底面１２ｂも遮光部として構成される。
【００２１】
遮光部である第２部分１２ａ２及び側面１２ｃは、長手方向Ｘに沿って延びているが、本実施形態では透光部である第１部分１２ａ１よりも短く形成されている。また、照明装置１０では、第１及び第２蓋部材１４ａ，１４ｂも遮光部となっている。
【００２２】
図４は、図１中におけるＡ−Ａ線断面図である。図５は、光源モジュールを示す斜視図である。図４において、筐体１２の断面のうち遮光部が点描部分で表されている。
【００２３】
図４及び図５に示すように、筐体１２内には、光源モジュール３０が収容されている。光源モジュール３０は、筐体１２の底面１２ｂ上に載置された状態で、図示しない固定手段（例えば、クリップ、ネジ等）によって固定されている。
【００２４】
光源モジュール３０は、長尺状の基板３１と、基板３１上において、幅方向中心線Ｃよりも一方の幅方向縁部３１ａに寄せて配置された発光部３２を備える。基板３１は、平面視で長方形状の外形をなし、筐体１２と略等しい全長を有し、筐体１２よりも小さい幅を有する。
【００２５】
発光部３２は、複数の発光素子によって構成される。これらの発光素子には、例えば発光ダイオード（ＬＥＤ）が好適に用いられる。複数の発光素子は、長手方向Ｘに沿って等間隔で直線状に配置されている。このように複数の発光素子が配置される帯状領域が上記第１幅方向領域３８ａとなっている。なお、発光部３２は、ＬＥＤ以外の発光素子、例えば、半導体レーザ素子等で構成されてもよい。
【００２６】
基板３１上において、幅方向中心線Ｃよりも他方の幅方向縁部３１ｂに寄せた位置に、２つのコンデンサ３３ａ，３３ｂと第１及び第２内部コネクタ３４，３５が例えば半田付け等によって配置されている。２つのコンデンサ３３ａ，３３ｂは、基板３１の長手方向の中央領域に配置されている。第１及び第２内部コネクタ３４，３５は、基板３１の長手方向の端部にそれぞれ配置されている。基板３１上において、２つのコンデンサ３３ａ，３３ｂと第１及び第２コネクタ３４，３５とが配置されている帯状領域が上記第２幅方向領域３８ｂとなっている。
【００２７】
光源モジュール３０において、第１及び第２内部コネクタ３４，３５は基板３１上に形成されたパターン配線（図示せず）を介して各発光素子に接続されている。第１内部コネクタ３４は、２本のリード線３６を介して第１蓋部材１４ａの外部コネクタ１８に電気的に接続され、第２内部コネクタ３５は２本のリード線３７を介して第２蓋部材１４ｂの外部コネクタ２０に電気的に接続される（図９参照）。これにより、光源モジュール３０の発光部３２である複数の発光素子が照明装置１０の外部コネクタ１８，２０と電気的に接続されている。また、外部コネクタ１８，２０同士は、基板３１に形成されたパターン配線（図示せず）によって、発光部３２を介することなく、電気的に接続されている。
【００２８】
本実施形態では、基板３１には、発光部３２に印加する電圧を調整するための電源回路が実装されていない。そのため、基板３１に実装される第１及び第２内部コネクタ３４，３５及び２つのコンデンサ３３ａ，３３ｂ以外の電気部品を少なくすることができ、照明装置１０の厚みを薄くして小型化することができる。
【００２９】
照明装置１０には、発光部３２を点灯発光させるための直流電圧が外部から供給される。より詳しくは、照明装置１０の一方端部にある外部コネクタ１８が外部の電源回路に接続されて、直流電圧が照明装置１０に供給される。そして、直流電圧は、外部コネクタ１８、リード線３６、及び、基板３１上のパターン配線を介して、発光部３２を構成する各発光素子に印加される。これにより、各発光素子が点灯発光する。また、一方端部の外部コネクタ１８に供給された直流電圧は、基板３１のパターン配線を介して、他方端部の外部コネクタ２０に供給される。これにより、複数の照明装置１０が連結されている場合、当該外部コネクタ２０に連結されている別の照明装置１０に直流電圧が供給されて、当該別の照明装置１０の発光部３２が点灯発光する。３以上の照明装置１０が連結されている場合も同様である。
【００３０】
なお、本実施形態では照明装置１０が電源回路を有しない場合について説明したが、これに限定されるものではなく、基板３３１上の第２幅方向領域３８ｂに電源回路が実装されてもよい。この場合、外部コネクタ１８（または２０）を介して供給された交流電圧が電源回路によって直流電圧に変換されて各発光素子に印加されることになる。また、１の照明装置１０に供給された交流電圧が、外部コネクタ２０（または１８）を介して別の照明装置１０に供給されることになる。
【００３１】
図４に示すように、筐体１２のカバー面１２ａには、遮光性の仕切板１３が設けられている。仕切板１３は、筐体１２のカバー面１２ａの遮光部分である第２部分１２ａ２と一体に形成可能である。仕切板１３は、筐体１２内の空間を、発光部３２が配置されている第１幅方向領域３８ａに対応する第１空間３９ａと、第１及び第２内部コネクタ３４，３５が配置されている第２幅方向領域３８ｂに対応する第２空間３９ｂとに仕切っている。仕切板１３の先端部（図４中の下端部）は、隙間を空けて基板３１に対向している。仕切板１３の第１空間３９ａに対向する側面は、基板３１の垂線に対して例えば１５度〜３０度程度、傾斜した反射面となっている。これにより、発光部３２から出射した光を効率良く透光部であるカバー面１２ａの第１部分または側面１２ｄから外部に照射することができる。
【００３２】
図４及び図５に示すように、メス型外部コネクタ２０は、基板３１の幅方向中心線Ｃよりも他方の幅方向縁部３１ｂに寄せた位置に設けられる。これにより、第２蓋部材１４ｂが、光源モジュール３０を収容した筐体１２に組み付けられたとき、メス型外部コネクタ２０が照明装置１０の他端部に位置する内部コネクタ３５に対向するように構成されている。また、メス型外部コネクタ２０の２本の金属筒状端子の並び方向は、基板３１の垂線に対して角度θで傾斜している。この角度θは、例えば７０度〜８０程度に設定される。
【００３３】
なお、第１蓋部材１４ａに設けられるオス型外部コネクタ１８の幅方向の配置位置、および、金属ピン端子の並び方向は、上述したメス型外部コネクタ２０の場合と同様である。
【００３４】
このように外部コネクタ１８，２０を傾斜して配置することで、外部コネクタを構成する端子保持部の幅方向寸法を小さくすることができる。これにより、照明装置１０を小型化できるとともに、狭い第２空間３９ｂ内に収容可能になる。
【００３５】
図６は、オス型外部コネクタ１８を備えた第１蓋部材１４ａの分解斜視図である。第１蓋部材１４ａは、蓋板４０、蓋板４０と一体に形成された端子保持部４２及び突出部４４を備える。これらの蓋板４０、端子保持部４２及び突出部４４は、例えば、ポリカーボネート等の樹脂材料を射出成形することによって一体に成形できる。また、第１蓋部材１４ａは、遮光性を有する。
【００３６】
蓋板４０は、筐体１２の一端部に形成される開口、より詳しくは、カバー面１２ａの透光部である第１部分１２ａ１、側面１２ｄ、底面１２ｂ及び仕切板１３によって区画形成される開口を閉じる部分である。
【００３７】
端子保持部４２は、蓋板４０の内側面（すなわち照明装置１０の内側の表面）に突出して形成されている。端子保持部４２には、蓋板４０まで貫通する２つの貫通孔４３が形成されている。これらの貫通孔４３に、オス型外部コネクタ１８を構成する２本の金属ピン端子１８ａ，１８ｂが例えば圧入等されて固定される。貫通孔４３及び金属ピン端子１８ａ，１８ｂが傾斜していることは、上述した通りである。
【００３８】
突出部４４は、端子保持部４２の三方周囲を囲むように蓋板４０から突出して形成されている。突出部４４は、互いに対向するカバー部分４４ａ及び底部分４４ｂと、これらを連結する側面部分４４ｃとを含む。筐体１２の端部に固定されたとき、図１及び図２に示すように、突出部４４のカバー部分４４ａ及び底部分４４ｂは筐体１２のカバー面１２ａの第２部分１２ａ２及び底面１２ｂと面一となるように突き合わされ、突出部４４の側面部分４４ｃは筐体１２の側面１２ｃに面一となるように突き合わされる。
【００３９】
図７は、メス型外部コネクタ２０を備えた第２蓋部材１４ｂの分解斜視図である。第２蓋部材１４ｂの構成は、上述した第１蓋部材１４ａと略同じ構成を有する。すなわち、第２蓋部材１４ｂでは、蓋板４０及び端子保持部４２に形成された２つの貫通孔４５に２本の金属筒状端子２０ａ，２０ｂが例えば圧入等によって固定されている。第２蓋部材１４ｂの他の構成は、第１蓋部材１４ａと同じであるため、同一構成に同一符号を付して説明を省略する。
【００４０】
図８は、筐体１２内に光源モジュール３０を収容した状態を示す平面図である。図９は、図８に示す光源モジュール３０を収容した筐体１２に第１及び第２蓋部材１４ａ，１４ｂを取り付ける様子を示す図である。
【００４１】
図８に示すように、光源モジュール３０は、筐体１２の一方の開口から長手方向Ｘに挿入することによって、筐体１２内に収容される。このとき、筐体１２の遮光部であるカバー面１２ａの第２部分１２ａ２の長手方向端部から、光源モジュール３０の第１及び第２内部コネクタ３４，３５の端部がそれぞれ露出した状態になっている。この状態で、図９に示すように、第１蓋部材１４ａのオス型外部コネクタ１８に予め接続されたリード線３６を例えば、半田付け等によって基板３１の一端部にある第１内部コネクタ３４に電気的に接続する。
【００４２】
また、第２蓋部材１４ｂについても同様に、メス型外部コネクタ２０に予め接続されたリード線３７を例えば、半田付け等によって基板３１の他端部にある第２内部コネクタ３５に電気的に接続する。
【００４３】
そして、第１蓋部材１４ａ及び第２蓋部材１４ｂを筐体１２に例えばネジ留め、係合等によって固定する。これにより、照明装置１０の組立てが完了する。
【００４４】
なお、リード線３６，３７にコネクタ部分を予めそれぞれ接続しておき、このコネクタ部分を第１及び第２内部コネクタ３４，３５に装着することで、電気的接続作業をより簡単かつ迅速に行えるようにしてもよい。
【００４５】
上述したように、本実施形態の照明装置１０は、長尺状の基板３１と、基板３１上において、基板３１の幅方向中心線Ｃよりも一方の幅方向縁部３１ａに寄せて配置された発光部３２とを備える。また、照明装置１０は、基板３１の長手方向端部において、幅方向中心線Ｃよりも他方の幅方向縁部３１ｂに寄せて配置された第１及び第２内部コネクタ３４，３５と、長手方向両端部に開口を有し、基板３１を収容する長尺筒状の筐体１２とを備える。さらに、照明装置１０は、筐体１２の長手方向端部の開口を塞いだ状態で筐体１２にそれぞれ固定され、幅方向中心線Ｃよりも他方の幅方向縁部３１ｂに寄せた位置に外部コネクタ１８，２０が設けられる第１及び第２蓋部材１４ａ，１４ｂと、第１及び第２内部コネクタ３４，３５と外部コネクタ１８，２０とを電気的に接続するリード線３６，３７とを備える。筐体１２は、発光部３２が配置された基板３１上の第１幅方向領域３８ａに対応する部分に透光性の第１部分１２ａ１と、第１及び第２内部コネクタ３４，３５が配置された基板３１上の第２幅方向領域３８ｂに対応する部分に遮光性の第２部分１２ａ２とを有する。そして、第１及び第２内部コネクタ３４，３５は、基板３１が筐体１２内に収容された状態で筐体１２の第２部分１２ａ２から露出している。
【００４６】
この構成によれば、筐体１２に収容された基板３１上の第１及び第２内部コネクタ３４，３５が露出しているため、第１及び第２蓋部材１４ａ，１４ｂのオス型及びメス型外部コネクタ１８，２０を第１及び第２内部コネクタ３４，３５に電気的に接続する作業を簡単に行うことができ、照明装置１０の組立作業を容易化できる。
【００４７】
また、本実施形態の照明装置１０では、筐体１２において遮光部である第２部分１２ａ２の長手方向寸法は透光部である第１部分１２ａ１の長手方向寸法よりも短く形成されている。また、第１及び第２蓋部材１４ａ，１４ｂは、筐体１２の開口を塞ぐ蓋板４０と、蓋板４０から長手方向に突出して形成され、露出した第１及び第２内部コネクタ３４，３５とオス型及びメス型外部コネクタ１８，２０を覆って設けられる遮光性の突出部４４とを有する。
【００４８】
この構成によれば、筐体１２の遮光性部分である第２部分１２ａ２の長さを透光性の第１部分１２ａ１よりも短くして第１及び第２内部コネクタ３４，３５を露出させているため、光出射領域となる第１部分１２ａ１の長さが短くなることはない。したがって、照明装置１０の光出射面積を小さくすることなく、組立作業の容易化を図れる。
【００４９】
また、本実施形態の照明装置１０において、筐体１２には、第１幅方向領域３８ａに対応する第１空間３９ａと第２幅方向領域３８ｂに対応する第２空間３９ｂとを仕切る遮光性の仕切板１３が設けられ、仕切板１３の第１空間３９ａに対向する壁面は反射面となっていることが好ましい。この構成によれば、発光部３２から出射された光を透光部へ効率良く導くことができ、照明装置１０の光出射効率を向上させることができる。
【００５０】
さらに、本実施形態の照明装置１０では、オス型及びメス型外部コネクタ１８，２０は２つの端子１８ａ，１８ｂ，２０ａ，２０ｂをそれぞれ含み、２つの端子１８ａ，１８ｂ，２０ａ，２０ｂの並び方向が基板３１の垂線に対して傾斜していることが好ましい。この構成によれば、照明装置１０の幅方向寸法を小さくして小型化することができる。
【００５１】
なお、本開示に係る照明装置は、上述した実施形態及びその変形例に限定されるものではなく、本願の特許請求の範囲に記載された事項及びその均等な範囲内において種々の変更や改良が可能である。
【００５２】
例えば、上記においては、筐体１２のカバー面１２ａの第２部分１２ａ２と、第１及び第２蓋部材１４ａ，１４ｂの突出部４４との突き合わせ面４８が、幅方向Ｙに沿って形成される例について説明したが、これに限定されるものではない。例えば、図１０に示すように、上記第２部分１２ａ２と上記突出部４４の突き合わせ面４８ａが幅方向Ｙに対して例えば４５度に傾斜した向きで形成されてもよい。このように構成すれば、光源モジュール３０の発光部３２から出射する光が突き合わせ面４８ａの隙間から外部に漏れるのを抑制できる。
【００５３】
また、上記では遮光部１２ａ２の長さを透光部１２ａ１よりも短く形成して、基板３１上の第１及び第２内部コネクタ３４，３５を露出させる例について説明したが、これに限定されるものではない。遮光部と透光部とを同じ長さに形成し、内部コネクタを基板の長手方向端縁部に配置して筐体の遮光部から露出されてもよい。この場合、蓋部材に凹部を形成し、基板の端縁部から突出した内部コネクタを上記凹部内に収容する構成とすることで、蓋部材を筐体の端部に組み付けることができる。
【符号の説明】
【００５４】
２  取付部材、３  壁面、１０，１０Ａ  照明装置、１２  筐体、１２ａ  カバー面、１２ａ１  第１部分（透光部）、１２ａ２  第２部分（遮光部）、１２ｂ  底面、１２ｂ  底面、１２ｃ，１２ｄ  側面、１３  仕切板、１４ａ  第１蓋部材、１４ｂ  第２蓋部材、１８  オス型外部コネクタ、１８ａ，１８ｂ  金属ピン端子、１９  溝、２０  メス型外部コネクタ、２０ａ，２０ｂ  金属筒状端子、３０  光源モジュール、３１  基板、３１ａ，３１ｂ  幅方向縁部、３２  発光部、３３ａ，３３ｂ  コンデンサ、３４  第１内部コネクタ、３５  第２内部コネクタ、３６，３７  リード線、３８ａ  第１幅方向領域、３８ｂ  第２幅方向領域、３９ａ  第１空間、３９ｂ  第２空間、４０  蓋板、４２  端子保持部、４３，４５  貫通孔、４４  突出部、４４ａ  カバー部分、４４ｂ  底部分、４４ｃ  側面部分、４８，４８ａ  突き合わせ面、Ｃ  幅方向中心線、θ  角度。
【図１】
2018139185.tif 000003
【図２】
2018139185.tif 000004
【図３】
2018139185.tif 000005
【図４】
2018139185.tif 000006
【図５】
2018139185.tif 000007
【図６】
2018139185.tif 000008
【図７】
2018139185.tif 000009
【図８】
2018139185.tif 000010
【図９】
2018139185.tif 000011
【図１０】
2018139185.tif 000012